(57)【要約】【課題】バスト形状を維持しつつ、バストをスリムに見せることができるカップ部付き衣類を提供する。【解決手段】カップ部付き衣類１は、左右一対のカップ部１１，１１と、伸縮性及び回復性の少なくとも一方がカップ部１１よりも高いパネル部１４と、を備え、パネル部１４は、カップ部１１におけるバストトップ位置Ｔよりも脇側の位置同士を結ぶと共に、バストトップ位置Ｔを覆うようにカップ部１１の前面側に延在している。【選択図】図２
2016089286.tif 000002
【特許請求の範囲】
【請求項１】
左右一対のカップ部と、
伸縮性及び回復性の少なくとも一方が前記カップ部よりも高いパネル部と、を備え、
前記パネル部は、前記カップ部におけるバストトップ位置よりも脇側の位置同士を結ぶと共に、前記バストトップ位置を覆うように前記カップ部の前面側に延在しているカップ部付き衣類。
【請求項２】
前記カップ部は、前記バストトップ位置よりも脇側を構成する第１の部分と、前記第１の部分よりも前中心側を構成する第２の部分とを有し、
前記第１の部分の剛性は、前記第２の部分の剛性よりも高くなっており、
前記パネル部の延在方向の縁部は、前記第１の部分に連結されている請求項１記載のカップ部付き衣類。
【請求項３】
前記カップ部の上縁部には、ストラップ部が結合されており、
前記パネル部の上縁部は、前記カップ部と前記ストラップ部との結合部同士を結ぶ第１のラインと、前記バストトップ位置同士を結ぶ第２のラインとの間で、前記第１のライン寄りに延在している請求項１又は２記載のカップ部付き衣類。
【請求項４】
前記パネル部の下縁部の脇側部分は、前記カップ部の下縁部に沿った形状をなすと共に、前記カップ部の下縁部に結合され、
前記パネル部の下縁部の前中心側部分は、上方に向かって凹となる湾曲形状をなすと共に、前記カップ部に対して非結合となっている請求項１〜３のいずれか一項記載のカップ部付き衣類。
【発明の詳細な説明】
【技術分野】
【０００１】
本発明は、カップ部付き衣類に関する。
【背景技術】
【０００２】
従来、バストをサポートする保護機能に加え、バスト形状の補整機能を有するカップ部付き衣類がある。例えば特許文献１に記載のカップ付き女性用衣類は、カップ部の表布と裏布との間に介在するホルダと、裏布の肌側に設け荒れた乳房押上部材とを有している。このカップ付き女性用衣類では、乳房押上部材の配置により、着用者のバストのボリュームが前中心側の上方に寄せられるようになっている。
【先行技術文献】
【特許文献】
【０００３】
【特許文献１】特開２００８−１０１２８４号公報
【発明の概要】
【発明が解決しようとする課題】
【０００４】
バストの補整機能は、小さいバストを大きく見せるものが主流となっている。一方で、大きいバストを小さく見せたいというユーザも多く、大きいバストを小さく見せる補整機能も望まれている。従来、大きいバストを小さく見せる手法として、例えばカップ部の下縁部の曲率を小さくし、バストのボリュームを各カップ部内で広範囲に分散させる手法などが検討されている。しかしながら、このような手法では、バスト形状が整わず、カップ部付き衣類の上に衣服を着用した際にバストが脇側に広がり、かえって体型が太く見えてしまうことが考えられる。
【０００５】
本発明は、上記課題の解決のためになされたものであり、バスト形状を維持しつつ、バストをスリムに見せることができるカップ部付き衣類を提供することを目的とする。
【課題を解決するための手段】
【０００６】
上記課題の解決のため、本発明の一側面に係るカップ部付き衣類は、左右一対のカップ部と、伸縮性及び回復性の少なくとも一方がカップ部よりも高いパネル部と、を備え、パネル部は、カップ部におけるバストトップ位置よりも脇側の位置同士を結ぶと共に、バストトップ位置を覆うようにカップ部の前面側に延在している。
【０００７】
このカップ部付き衣類では、バスト脇部及びバストトップ付近がパネル部によって肌側に押さえられ、バストのボリュームが前中心側に集められる。バストのボリュームが前中心側に集められることで、バストのボリュームを各カップ部内で広範囲に分散させる場合とは異なり、バスト形状を好適に維持できる。また、パネル部がカップ部の全体に配置されるのではなく、カップ部の脇側同士を結ぶように配置されるので、パネル部によって過剰にバストが押さえられることがなく、バストが脇側に広がることを抑制できる。したがって、バストをスリムに見せることができる。
【０００８】
また、カップ部は、バストトップ位置よりも脇側を構成する第１の部分と、第１の部分よりも前中心側を構成する第２の部分とを有し、第１の部分の剛性は、第２の部分の剛性よりも高くなっており、パネル部の延在方向の縁部は、第１の部分に連結されていてもよい。この場合、剛性の十分な脇側の第１の部分によってバスト脇部が押さえられるので、バストのボリュームをより確実に前中心側に集めることができる。
【０００９】
また、カップ部の上縁部には、ストラップ部が結合されており、パネル部の上縁部は、カップ部とストラップ部との結合部同士を結ぶ第１のラインと、バストトップ位置同士を結ぶ第２のラインとの間で、第１のライン寄りに延在していてもよい。この場合、バストのボリュームを一層十分に前中心側に集められる。
【００１０】
また、パネル部の下縁部の脇側部分は、カップ部の下縁部に沿った形状をなすと共に、カップ部の下縁部に結合され、パネル部の下縁部の前中心側部分は、上方に向かって凹となるように湾曲した形状をなすと共に、カップ部に対して非結合となっていてもよい。こうすると、パネル部の下縁部の脇側部分によって、バスト脇部及びバストトップ付近がパネル部によって肌側に押さえられたときにバストが下方に流れることを抑制できる。また、パネル部の下縁部の前中心側部分により、バスト下部のボリュームを前中心側に集めることができる。さらに、カップ部の通気性を確保できる。
【発明の効果】
【００１１】
本発明の一側面に係るカップ部付き衣類によれば、バスト形状を維持しつつ、バストをスリムに見せることができる。
【図面の簡単な説明】
【００１２】
【図１】本発明に係るカップ部付き衣類の一実施形態を示す正面図である。
【図２】図１に示したカップ部付き衣類の要部拡大正面図である。
【発明を実施するための形態】
【００１３】
以下、図面を参照しながら、本発明に係るカップ部付き衣類の好適な実施形態について詳細に説明する。
【００１４】
図１は、本発明に係るカップ部付き衣類の一実施形態を示す正面図である。同図に示すように、カップ部付き衣類１は、例えばブラジャー付きキャミソールとして構成されている。カップ部付き衣類１は、着用者の胸部から腰部にかけての身頃を構成する本体部２と、肩紐を構成する左右一対のストラップ部３，３と、着用者の胸部に対応するように本体部２の上部に配置されたブラジャー部４とを備えて構成されている。
【００１５】
本体部２は、例えばベアスムース、スムース、ベア天竺、天竺、ベアフライス、フライス、トリコットなどの素材によって形成された前身頃及び後身頃を有している。前身頃及び後身頃は、例えば本体部２の左右の脇部２ａ，２ａにおいて互いに縫着されている。
【００１６】
ストラップ部３は、例えばテープ状に形成した織物や編物、若しくは帯状の織物や編物を縫製して形成されている。ストラップ部３に用いられる織物等の素材は、長手方向に伸縮性を有していることが好適である。ストラップ部３は、ブラジャー部４の上脇部分と、本体部２の後身頃の上端部とを繋ぐように掛け渡されている。
【００１７】
ブラジャー部４は、図２に示すように、左右一対のカップ部１１，１１と、カップ部１１の下縁側を支持する土台部１２と、カップ部１１及び土台部１２の脇側を繋ぐように背面側に延在するバック部１３と、カップ部１１，１１の前面側に配置されたパネル部１４とよって構成されている。
【００１８】
カップ部１１は、全体としてバスト形状に対応した椀形状となっている。カップ部１１の上縁部１１Ａは、バスト上部の形状に沿うように上向きに凸となる湾曲形状をなしている。カップ部１１の下縁部１１Ｂは、バストのバージスラインに合うように下向きに凸となる湾曲形状をなしている。また、カップ部１１の脇縁部１１Ｃは、上縁部１１Ａの脇側端部と下縁部１１Ｂの脇側端部とを結び、腕の動きを阻害することが無いように中心側に向かって緩やかな凹状に湾曲している。
【００１９】
カップ部１１は、バストトップ位置Ｔよりも脇側を構成する第１の部分２１と、第１の部分２１よりも前中心Ａ側を構成する第２の部分２２とを有している。第１の部分２１と第２の部分２２とは、例えばバストトップ位置Ｔよりも脇側を通るラインＬにおいて互いに縫着されている。ラインＬは、カップ部１１の脇縁部１１Ｃ側に凸となるように湾曲した状態で、カップ部１１の上縁部１１Ａと下縁部１１Ｂとの間に延在している。
【００２０】
第１の部分２１は、例えば高密度不織布によって形成され、第２の部分２２は、一般的な不織布によって形成されている。これにより、第１の部分２１の剛性は、第２の部分２２の剛性よりも高くなっている。ここでの剛性とは、剛軟度を示すものであり、例えばＪＩＳ  Ｌ  １９１３のカンチレバー法により定量的に測定することができる。なお、上述したストラップ部３の一方の端部は、カップ部１１の上縁部１１Ａと脇縁部１１Ｃとがなす隅部で、第１の部分２１の前面側に縫着されている。
【００２１】
土台部１２は、例えばマーキゼット等の非（難）伸縮性の素材を用いて形成されている。土台部１２の上辺部１２Ａは、カップ部１１の下縁部１１Ｂに沿うように凹状に湾曲しており、カップ部１１の下縁部１１Ｂに縫着されている。
【００２２】
土台部１２の下辺部１２Ｂは、前中心Ａ側では上辺部１２Ａの湾曲形状に応じて上方に凹となるように湾曲し、その両脇は、カップ部１１の下縁部１１Ｂの湾曲形状に応じて下方に凸となるように緩やかに湾曲している。土台部１２の下辺部１２Ｂには、長手方向に特に伸縮性の高い素材からなる始末部を設けてもよい。始末部に用いる素材としては、例えばストレッチテープなどが挙げられる。また、土台部１２の脇辺部１２Ｃは、第１の部分２１と第２の部分２２とを結合しているラインＬの下方の位置で、上辺部１２Ａの脇側端部と下辺部１２Ｂの脇側端部とを結ぶように上下に延在している。
【００２３】
バック部１３は、例えばパワーネットなどの伸縮性を有する素材によって形成されている。バック部１３の基端側は、土台部１２の脇辺部１２Ｃ及びカップ部１１の下縁部１１Ｂの脇側部分（土台部１２の脇辺部１２Ｃよりも脇側の部分）から連続し、背面側に向かって帯状に延びている。バック部１３の上辺部１３Ａ及びカップ部１１の脇縁部１１Ｃは、連続して本体部２に縫着されており、これにより、ブラジャー部４と本体部２との結合がなされている。
【００２４】
パネル部１４は、伸縮性及び回復性の少なくとも一方がカップ部（第１の部分２１及び第２の部分２２）よりも高い素材によって形成されている。このような素材としては、例えばチュールパワーネット、パワーネット、ストレッチレース、１ｗａｙトリコット、２ｗａｙトリコット、ベア天竺、ベアスムースなどが挙げられる。伸縮性（伸び率）は、ＪＩＳ  Ｌ１０９６  織物及び編み物の生地試験方法により計測でき、回復性は、風合い計測技術ＫＥＳシステムにより定量的に測定することができる。
【００２５】
パネル部１４は、カップ部１１におけるバストトップ位置Ｔよりも脇側の位置同士を結ぶと共に、バストトップ位置Ｔを覆うように前中心Ａを跨いで左右に延在している。パネル部１４の上縁部１４Ａは、略直線状をなしており、カップ部１１とストラップ部３との結合部Ｋ，Ｋ同士を結ぶ第１のラインＲ１と、バストトップ位置Ｔ，Ｔ同士を結ぶ第２のラインＲ２との間で、第１のラインＲ１寄りに延在している。
【００２６】
本実施形態では、パネル部１４の上縁部１４Ａは、第１のラインＲ１の僅かに下方の位置で左右に延在している。これにより、前中心Ａ側に形成されている左右のカップ部１１，１１間の隙間Ｓの大部分がパネル部１４によって覆われた状態となっている。本実施形態では、第１のラインＲ１は、カップ部１１とストラップ部３との結合部Ｋの最下点同士を結ぶ直線を例示し、第２のラインＲ２は、カップ部１１が最も前方に突出している点同士を結ぶ直線を例示している。
【００２７】
パネル部１４の下縁部１４Ｂは、全体として上方に向かって凹となる湾曲形状をなしている。下縁部１４Ｂの脇側部分１４ａは、カップ部１１の下縁部１１Ｂに沿うように下方に凸となる湾曲形状をなし、当該下縁部１１Ｂに縫着されている。下縁部１４Ｂの前中心側部分１４ｂは、土台部１２の上辺部１２Ａよりも上方の位置を通るように上方に向かって凹となる湾曲形状をなし、カップ部１１に対してフリー（非縫着状態）となっている。
【００２８】
パネル部１４の脇縁部１４Ｃは、パネル部１４の延在方向の縁部であり、第１の部分２１と第２の部分２２とを結合しているラインＬに沿うように、カップ部１１の脇縁部１１Ｃ側に凸となる湾曲形状をなしている。脇縁部１４Ｃは、ラインＬに沿って、第２の部分２２よりも剛性の高い第１の部分２１に縫着されている。パネル部１４は、下縁部１４Ｂの脇側部分１４ａ及び脇縁部１４Ｃのみがカップ部１１に対して縫着されており、他の部分はカップ部１１に対してフリー（非縫着状態）となっている。
【００２９】
以上のような構成を有するカップ部付き衣類１では、バスト脇部及びバストトップ付近がパネル部１４によって肌側に押さえられ、バストのボリュームが前中心Ａ側に集められる。バストのボリュームが前中心Ａ側に集められることで、バストのボリュームを各カップ部内で広範囲に分散させる場合とは異なり、バスト脇部及びバスト下部のシルエットがすっきりしたものとなる。また、バスト上部がカップ部１１からあふれてしまうことも抑制できる。したがって、バスト形状を好適に維持できる。
【００３０】
また、カップ部付き衣類１では、パネル部１４がカップ部１１の全体に配置されるのではなく、カップ部１１の脇側同士を結ぶように配置されるので、パネル部１４によって過剰にバストが押さえられることがなく、バストが脇側に広がることを抑制できる。したがって、バストをスリムに見せることができる。
【００３１】
また、カップ部付き衣類１では、カップ部１１がバストトップ位置Ｔよりも脇側を構成する第１の部分２１と、第１の部分２１よりも前中心Ａ側を構成する第２の部分２２とを有している。また、第１の部分２１の剛性は、第２の部分２２の剛性よりも高くなっており、パネル部１４の脇縁部１４Ｃが剛性の高い第１の部分２１に連結されている。これにより、剛性の十分な脇側の第１の部分２１によってバスト脇部が押さえられるので、バストのボリュームをより確実に前中心Ａ側に集めることができる。
【００３２】
また、カップ部付き衣類１では、パネル部１４の上縁部１４Ａが、カップ部１１とストラップ部３との結合部Ｋ同士を結ぶ第１のラインＲ１と、バストトップ位置Ｔ，Ｔ同士を結ぶ第２のラインＲ２との間で、第１のラインＲ１寄りに延在している。これにより、パネル部１４によってバストが十分な面積で肌側に押さえられるので、バストのボリュームを一層十分に前中心側に集められる。また、左右のカップ部１１，１１間の隙間Ｓの大部分がパネル部１４によって覆われた状態となるので、前中心Ａ側に集められたバストがパネル部１４によって隠され、着用時の安心感を高めることができる。
【００３３】
また、カップ部付き衣類１では、パネル部１４の下縁部１４Ｂの脇側部分１４ａが、カップ部１１の下縁部１１Ｂに沿った形状をなすと共に、カップ部１１の下縁部１１Ｂに結合されている。これにより、バスト脇部及びバストトップ付近がパネル部１４によって肌側に押さえられたときにバストが下方に流れることを抑制できる。また、パネル部１４の下縁部１４Ｂの前中心側部分１４ｂが、上方に向かって凹となるように湾曲した形状をなすと共に、カップ部１１に対して非縫着状態となっている。このような構成により、バスト下部のボリュームを前中心Ａ側に集めることができる。さらに、カップ部１１の通気性を確保できる。
【００３４】
本発明は、上記実施形態に限られるものではない。例えば上記実施形態では、パネル部１４の脇縁部１４Ｃは、カップ部１１における第１の部分２１と第２の部分２２とを結合しているラインＬに沿って第１の部分２１に縫着されているが、第１の部分２１に対するパネル部１４の脇縁部１４Ｃの縫着ラインは、ラインＬよりも更に脇側（カップ部１１の脇縁部１１Ｃ側）であってもよい。ラインＬの形状は、湾曲形状に限られず、直線状などの任意の形状であってよい。また、カップ部１１は、必ずしも第１の部分２１と第２の部分２２とを有していなくてもよく、同一の素材によって形成されていてもよい。
【００３５】
また、上記実施形態では、パネル部１４の上縁部１４Ａは、第１のラインＲ１よりも僅かに下方となる位置で左右に延在しているが、上縁部１４Ａは、第１のラインＲ１と第２のラインＲ２との間の任意の位置で延在していてよい。上縁部１４Ａは、第１のラインＲ１と重なっていてもよく、第２のラインＲ２と重なっていてもよい。また、上縁部１４Ａは、必ずしも直線状でなくてもよく、湾曲形状などの他の形状であってもよい。
【００３６】
上記実施形態では、カップ部付き衣類としてブラ付きキャミソールを例示したが、本発明を適用するカップ部付き衣類としては、ブラ付きキャミソールの他に、カップ付きタンクトップ、カップ付きハーフトップなどが挙げられる。また、カップ部の縫製は、１ダーツ接ぎ、２ダーツ接ぎ、２枚接ぎ、３枚接ぎ、ギャザーのみ、無縫製（成形カップ）など、種々の形態を採り得る。
【符号の説明】
【００３７】
１…カップ部付き衣類、３…ストラップ部、１１…カップ部、１１Ａ…上縁部、１１Ｂ…下縁部、１４…パネル部、１４Ａ…上縁部、１４Ｂ…下縁部、１４ａ…脇側部分、１４ｂ…前中心側部分、１４Ｃ…脇縁部、２１…第１の部分、２２…第２の部分、Ａ…前中心、Ｋ…結合部、Ｒ１…第１のライン、Ｒ２…第２のライン、Ｔ…バストトップ位置。
【図１】
2016089286.tif 000003
【図２】
2016089286.tif 000004